(57)【特許請求の範囲】
【請求項１】
エレベータの乗りかご上に着脱自在に配置され、温度調整した空気を乗りかご室に循環させる空調装置と、
前記空調装置を前記乗りかご上に着脱自在に保持するかご上保持手段と、
昇降路の最上部に設けられ、前記空調装置を昇降路内で着脱自在に吊り下げて保持する吊り下げ保持手段と、
を備えることを特徴とするエレベータの空調設備。
【請求項２】
前記吊り下げ保持手段は、
懸架部を有する吊り下げ用ジグと、
前記空調装置の上部に設けられ、前記吊り下げ用ジグの前記懸架部に引っ掛けられるフックと、
を備えることを特徴とする請求項１記載のエレベータの空調設備。
【請求項３】
前記かご上保持手段は、前記乗りかご上に上下方向に形成された差込口と、前記空調装置の底部に形成され前記差込口に差し込まれる差込用突部と、を備え、
前記差込用突部が前記差込口に差し込まれると、前記空調装置の自重によって前記空調装置が前記乗りかごに固定されることを特徴とする請求項１または２記載のエレベータの空調設備。
【請求項４】
前記空調装置の自重によって前記空調装置が前記乗りかごに固定される際に、前記空調装置のエアーダクト接続部と前記乗りかごのエアーダクト接続部とが接続するとともに、前記空調装置と前記乗りかごとが電気接続することを特徴とする請求項３記載のエレベータの空調設備。
【請求項５】
前記空調装置が前記吊り下げ手段で吊り下げられて前記乗りかごから外れているときには、前記乗りかごを上昇させるに際し、前記乗りかご上の上限高さが前記空調装置の下端から下方へ２ｍ以上離れた高さ範囲に規制されていることを特徴とする請求項１〜４のいずれか１項記載のエレベータの空調設備。
【請求項６】
請求項１記載のエレベータの空調設備を用いたエレベータの保守・点検方法であって、
前記乗りかご上で保守・点検の作業を行う際、前記空調装置を前記吊り下げ保持手段に吊り下げ可能にして前記乗りかごを下降させることにより、前記空調装置を前記乗りかごから外して前記吊り下げ保持手段に吊り下げることを特徴とするエレベータの保守・点検方法。
【発明の詳細な説明】
【技術分野】
【０００１】
本発明の実施形態は、温度調整した空気を乗りかご内に循環させる空調装置を乗りかご上に備えたエレベータの空調設備、および、エレベータの保守・点検方法に関する。
【背景技術】
【０００２】
エレベータでは、利用者が階床間を快適に移動できるように乗りかご内の空調を行っている。この乗りかご内の空調は、かご上（乗りかご上）に設けられた空調装置で行うことが一般的である。
【０００３】
この空調装置は、乗りかご上に大きなスペースを占有して設置されている。また乗りかご上には、空調装置の他にも乗降用ドアの開閉機構やメインロープの連結機構などの機器が設置されている。空調装置やこれらの機器は、一旦設置すると移動や取り外しは困難である。
【先行技術文献】
【特許文献】
【０００４】
【特許文献１】特開２００９−２１５０３３号公報
【発明の概要】
【発明が解決しようとする課題】
【０００５】
かご上は、乗りかごや昇降路内に設置された機器を保守点検する際に保守員（作業員）が搭乗して作業を行う場所である。一方、広い設置スペースを必要とする空調装置がかご上に設置されていると、作業スペースが、狭くかつ複雑な形状になってしまう。このため、保守点検時に、かご上で作業者の移動が大きく制限されてしまうので、かご上での作業性や安全性を更に向上させることが好ましい。
【０００６】
本発明は上記課題に鑑みてなされたものであり、保守点検時での作業員の作業性および安全性を向上させたエレベータの空調設備およびエレベータの保守・点検方法を提供することを課題とする。
【課題を解決するための手段】
【０００７】
実施形態に係るエレベータの空調設備は、エレベータの乗りかご上に着脱自在に配置され、温度調整した空気を乗りかご室に循環させる空調装置と、空調装置を乗りかご上に着脱自在に保持するかご上保持手段と、空調装置を昇降路内で着脱自在に吊り下げて保持する吊り下げ保持手段と、を備える。
【０００８】
また、実施形態に係るエレベータの保守・点検方法は、請求項１記載のエレベータの空調設備を用いたエレベータの保守・点検方法であって、乗りかご上で保守・点検の作業を行う際、空調装置を吊り下げ保持手段に吊り下げ可能にして乗りかごを下降させることにより、空調装置を乗りかごから外して吊り下げ保持手段に吊り下げる。
【図面の簡単な説明】
【０００９】
【図１】実施形態で、エレベータのサービス運転を行っているときの空調装置の配置状態を説明する側面図である。
【図２】実施形態で、エレベータの保守・点検を行っているときの空調装置の配置状態を説明する側面図である。
【図３】実施形態で、エレベータの保守・点検を行っているときの空調装置の配置状態を説明する正面図である。
【図４】実施形態で、エレベータの保守・点検を行っているときの空調装置の配置状態を説明する平面図である。
【発明を実施するための形態】
【００１０】
以下、添付図面を参照して、実施形態について説明する。図１〜図４は、一実施形態（以下、本実施形態）に係るエレベータの空調設備を説明する側面図である。図１は、エレベータのサービス運転を行っているときの空調装置の配置状態を説明する側面図である。図２〜図４は、それぞれ、エレベータの保守・点検を行っているときの空調装置の配置状態を示す側面図、正面図、および、平面図である。
【００１１】
本実施形態では、乗りかご１２をガイドするメインレール１４ｐ、１４ｑが、エレベータの昇降路１５内で、乗りかご１２の両サイド側にそれぞれ上下方向に沿って設置されている。
【００１２】
乗りかご１２は、メインロープ（図示せず）を介して釣合い錘につるべ式で連結されており、メインロープを駆動する巻上げ機（図示せず）により昇降路１５内を昇降するようになっている。
【００１３】
本実施形態に係るエレベータの空調設備２０は、乗りかご上１２Ａに着脱自在に配置され、温度調整した空気を乗り乗りかご室１２Ｂに循環させる空調装置１１と、空調装置１１を乗りかご上１２Ａに着脱自在に保持するかご上保持手段１６と、空調装置１１を着脱自在に吊り下げて保持する吊り下げ保持手段（吊り下げ保持機構）１３と、を備える。
【００１４】
空調装置１１は、冷媒を圧縮する圧縮機、圧縮機から吐出された高温高圧の冷媒を凝縮して周囲の空気と熱交換する凝縮器、凝縮器から吐出された冷媒を膨張弁により膨張させて周囲の空気と熱交換する蒸発器や、高温、低温に熱交換された空気をそれぞれ送風する凝縮器用ファンおよび蒸発器用ファンなどを備えている。
【００１５】
吊り下げ保持手段１３は、空調設備２０の上部に設けられたフック１１Ａと、昇降路１５の最上部に設けられた吊り下げ用ジグ１３Ｊと、を備える。
【００１６】
吊り下げ用ジグ１３Ｊは、メインレール１４ｐ、１４ｑの最上部で保持されて水平方向に張り出しているブラケット１３Ａと、基端部でブラケット１３Ａにそれぞれ回動可能に保持されたアーム部１３Ｂｐ、１３Ｂｑと、アーム部１３Ｂｐ、１３Ｂｑの先端部に掛け渡されて、両端部でそれぞれアーム部１３Ｂｐ、１３Ｂｑに固定され、フック１１Ａが引っ掛けられるパイプ状の懸架部１３Ｃと、を備えている。この構成により、懸架部１３Ｃの高さ位置が可変にされている。また、アーム部１３Ｂｐ、１３Ｂｑは、懸架部１３Ｃが上昇する方向に回転するように常に付勢されており、空調装置１１を吊り下げないときには上方に移動している。
【００１７】
かご上保持手段１６は、乗りかご１２に上下方向に形成された差込口１６Ａと、差込口１６Ａに差し込まれるように空調装置１１の底部から下方へ突出した差込用突部１６Ｂと、を備えている。本実施形態では、差込用突部１６Ｂは空調装置１１の四隅で延び出しており、差込口１６Ａは、差込用突部１６Ｂに対応して４箇所に穴状に形成されている。そして、差込用突部１６Ｂが差込口１６Ａに差し込まれると、空調装置１１の自重によってかご上保持手段１６により空調装置１１が乗りかご１２に固定されるようになっている。
【００１８】
ここで、空調装置１１の下部には、エアーダクト接続部１１ＣＵと電気接続部１１ＤＵとが凸状に形成されている。一方、乗りかご上１２Ａには、空調装置１１を取り付ける取り付けベース１６Ｆが配置されており、取り付けベース１６Ｆには、上記の差込用突部１６Ｂと、凸状のエアーダクト接続部１１ＣＵが差し込まれる凹状のエアーダクト接続部１１ＣＬと、凸状の電気接続部１１ＤＵが差し込まれる凹状の電気接続部１１ＤＬと、が設けられている。そして、差込用突部１６Ｂが差込口１６Ａに差し込まれると、空調装置１１の自重によって空調装置１１が乗りかご１２に固定される際に、エアーダクト接続部１１ＣＵ、１１ＣＬが連結して接続し、かつ、電気接続部１１ＤＵ、１１ＤＬが連結して接続するようになっている。エアーダクト接続部１１ＣＵ、１１ＣＬは互いに着脱自在にされており、電気接続部１１ＤＵ、１１ＤＬも互いに着脱自在にされている。
【００１９】
この構成では、エアーダクト接続部１１ＣＵ、１１ＣＬ互いに係合することや電気接続部１１ＤＵ、１１ＤＬが互いに係合することで、空調装置１１と乗りかご１２との固定が更に強固となる構造にしてもよい。
【００２０】
また、空調装置１１が吊り下げ保持手段１３で吊り下げられることにより乗りかご１２から外れているときには、乗りかご１２を上昇させるに際し、乗りかご上１２Ａの上限高さが空調装置１１の下端から下方へ２ｍ以上離れた高さ範囲に規制されている。
【００２１】
また、本実施形態では、乗りかご上１２Ａに、上記の規制を解除する解除スイッチ１２Ｓが設けられている。そして、解除スイッチ１２Ｓは、乗りかご上１２Ａに固定されているときの空調装置１１から所定距離以上（例えば２ｍ以上）離れた位置に設けられており、空調装置１１が吊り下げ保持手段１３によって吊り下げられている状態では、保守員（作業員）が空調装置１１の真下（吊元）にいるときには解除スイッチ１２Ｓには手が届かないようになっている。
【００２２】
（作用、効果）
以下、本実施形態の作用、効果について説明する。乗りかご上１２Ａでエレベータの保守・点検作業を行うには、まず、保守員（作業員）が乗りかご上１２Ａに乗り、乗りかご１２を昇降路１５の最上部にまで上昇移動させる。そして、吊り下げ用ジグ１３Ｊの懸架部１３Ｃに保守員が手を掛けて懸架部１３Ｃを下方側へ移動させ、空調装置１１のフック１１Ａを上方へ引き出して懸架部１３Ｃに引っ掛けて連結可能にセットする。
【００２３】
このようにしてフック１１Ａを懸架部１３Ｃに引っ掛けた状態で、乗りかご１２を下降させる。この結果、空調装置１１から乗りかご１２が下方に移動することでフック１１Ａと懸架部１３Ｃとが連結するとともに、空調装置１１が乗りかご１２の取り付けベース１６Ｆから外れて乗りかご１２から切り離される（図２〜図４参照）。ここで、空調装置１１が乗りかご１２から切り離されると解除スイッチ１２Ｓが自動的に機能し、解除スイッチ１２Ｓを押さない限り、乗りかご１２の上限高さの規制は解除されないようになっている。
【００２４】
そして、エレベータの保守・点検用の所定高さ位置にまで下降させて下降移動を停止させ、保守員が乗りかご上１２Ａで乗りかご１２や昇降路１５などの保守・点検作業を行う。
【００２５】
保守・点検作業の終了後、保守員は解除スイッチ１２Ｓを押し、乗りかご１２を昇降路１５の最上部にまで乗りかご１２を上昇移動させる。この結果、空調装置１１の差込用突部１６Ｂが取り付けベース１６Ｆの差込口１６Ａに差し込まれ、空調装置１１の自重によって空調装置１１が乗りかご１２に固定されつつ、エアーダクト接続部１１ＣＵ、１１ＣＬが連結するとともに、電気接続部１１ＤＵ、１１ＤＬが連結する。
【００２６】
そして、保守員が懸架部１３Ｃからフック１１Ａを外すことで、フック１１Ａが空調装置１１側の収納位置に移動するとともに、アーム部１３Ｂｐ、１３Ｂｑおよび懸架部１３Ｃがブラケット１３Ａ側の収納位置に移動する。その後、乗りかご１２を下降させ、保守員が乗りかご上１２Ａから降りた後、エレベータの通常のサービス運転等を行う。
【００２７】
以上説明したように、本実施形態では、保守員が乗りかご上１２Ａで保守・点検する際、吊り下げ保持手段１３で空調装置１１を吊り下げて、乗りかご上１２Ａのスペースを広くした状態で保守・点検作業を行うことができる。従って、保守点検時での保守員の作業性および安全性を向上させることができる。
【００２８】
また、空調装置１１を吊り下げ保持手段１３で吊り下げる際、懸架部１３Ｃを下方に引き下げて空調装置１１のフック１１Ａに引っ掛け、乗りかご１２を下降させることで吊り下げることができる。従って、短時間で簡単に空調装置１１を吊り下げることができ、手動式のチェーンブロックのような揚重工具などを必要としない。
【００２９】
更に、空調装置１１が乗りかご１２から切り離されると解除スイッチ１２Ｓが自動的に機能するようになっており、解除スイッチ１２Ｓを押さない限り、乗りかご１２の上限高さの規制は解除されないので、保守員の安全性が更に向上している。
【００３０】
また、保守・点検作業の終了後、乗りかご１２を上昇移動させることで、空調装置１１の差込用突部１６Ｂが乗りかご１２の差込口１６Ａに差し込まれ、エアーダクト接続部１１ＣＵ、１１ＣＬが連結するとともに、電気接続部１１ＤＵ、１１ＤＬが連結する。この結果、空調装置１１と乗りかご１２とが電気接続されるとともにエアーダクト接続がされ、かつ、空調装置１１の自重によって空調装置１１が乗りかご上１２Ａに固定される。従って、空調装置１１を乗りかご１２から切り離した後の復帰作業を、著しく短時間で容易に行うことができる。
【００３１】
また、吊り下げ保持手段１３はメインレール１４ｐ、１４ｑで保持されている。従って、昇降路１５の内壁部に吊り下げ保持手段１３が保持される構成に比べ、吊り下げ保持手段１３が強固な力で保持されており、しかも、吊り下げ保持手段１３の設置が容易である。
【００３２】
また、空調装置１１が吊り下げ手段保持１３で吊り下げられることにより乗りかご１２から外れているときには、乗りかご１２を上昇させるに際し、乗りかご上１２Ａの上限高さが空調装置１１の下端から下方へ２ｍ以上離れた高さ範囲に規制されている。これにより、保守・点検作業時に乗りかご１２と空調装置１１との間に保守員が挟まれることが防止されており、保守員の安全性が一層高められている。
【００３３】
そして、上記規制を解除する解除スイッチ１２Ｓが、空調装置１１から所定距離以上に離れた位置に設けられおり、空調装置１１が吊り下げ保持手段１３によって吊り下げられている状態では、作業員が空調装置１１の真下（吊元）にいるときには解除スイッチ１２Ｓには手が届かないようになっている。これにより、解除スイッチ１２Ｓを押すときには保守員が空調装置１１の真下にいないときに限られるので、安全性がより一層高められている。
【００３４】
なお、ブラケット１３Ａはそれぞれブラケットの長手方向に沿ってスライド可能となるようにメインレール１４ｐ、１４ｑに取り付けられていても良く、これにより、空調装置１１の設置位置を変更することができる。
【００３５】
また、懸架部１３Ｃがアーム部１３Ｂｐ、１３Ｂｑから取り外し可能な構成にしてもよく、フック１１Ａが空調装置１１から取り外し可能な構成にしてもよい。これにより、空調装置１１の吊り下げが必要なときのみに保守員が懸架部１３Ｃやフック１１Ａを乗りかご上１２Ａに持ち込んで取り付ける形態にすることができる。また、アーム部１３Ｂｐ、１３Ｂｑと懸架部１３Ｃとの組立体をブラケット１３Ａから取り外し可能な構成にしてもよく、更には、ブラケット１３Ａがメインレール１４ｐ、１４ｑから取り外し可能な構成にしてもよい。
【００３６】
また、アーム部１３Ｂｐ、１３Ｂｑが長手方向に延び縮みする構成にしてもよく、これにより、懸架部１３Ｃにフック１１Ａを掛ける作業を更に簡易にすることができる。
【００３７】
また、差込用突部１６Ｂを先端に向けて徐々に細径になるピン状の突起にすると、乗りかご１２から切り離された空調装置１１を乗りかご上１２Ａに設置する際、差込用突部１６Ｂを差込口１６Ａに挿入させることでに乗りかご１２を素早く正確に位置決めすることができる。本実施形態では、差込用突部１６Ｂが空調装置底面側の四隅に合計で４つ形成された例で説明したが、差込用突部１６Ｂの個数は更に多くてもよく、差込用突部１６Ｂおよび差込口１６Ａの個数、配置位置は特に限定しない。また、差込用突部１６Ｂおよび差込口１６Ａの形状は特にピンや円状穴には限定されない。
【００３８】
また、図４に示すように、解除スイッチ１２Ｓの近くで、例えばかごドア開閉機構１８の近くに、乗りかご１２の移動を停止させる細長状のコントローラ２２を配置してもよい。これにより、解除スイッチ１２Ｓを押し続けつつコントローラを操作すること、すなわち、解除スイッチ１２Ｓとコントローラ２２とを同時に操作することを行わない限り、乗りかご１２の上昇、下降の移動ができない構成にすることができ、安全性が更に増す。
【００３９】
また、以上の説明では、空調装置１１が乗りかご上１２Ａに設置された例で説明したが、乗りかご１２の側面側に空調装置３０（図２参照）を設置し、同様に吊り下げ可能な構成にすることも可能である。
【００４０】
また、乗りかご上１２Ａに設置されている空調装置１１以外の機器であっても、空調装置１１のように乗りかご１２から切り離し可能な構成にして、乗りかご上１２Ａで保守・点検作業を行うときに吊り下げてもよく、これにより、乗りかご上１２Ａの作業スペースを更に広げることが可能である。
【００４１】
以上、実施形態を説明したが、この実施形態は、例として提示したものであり、発明の範囲はそれらに限定することは意図していない。この実施形態は、その他の様々な形態で実施されることが可能であり、発明の要旨を逸脱しない範囲で、種々の省略、置き換え、変更を行うことができる。この実施形態やその変形は、発明の範囲や要旨に含まれると同様に、特許請求の範囲に記載された発明とその均等の範囲に含まれるものである。
【符号の説明】
【００４２】
１１  空調装置
１１Ａ  フック
１１ＣＬ  エアーダクト接続部
１１ＣＵ  エアーダクト接続部
１２  乗りかご
１２Ａ  乗りかご上
１２Ｂ  乗りかご室
１２Ｓ  解除スイッチ
１３  吊り下げ保持手段
１３Ｃ  懸架部
１３Ｊ  吊り下げ用ジグ
１５  昇降路
１６  かご上保持手段
１６Ａ  差込口
１６Ｂ  差込用突部
２０  エレベータの空調設備
３１  空調装置
【図１】
0005571134.tif 000002
【図２】
0005571134.tif 000003
【図３】
0005571134.tif 000004
【図４】
0005571134.tif 000005